(57)【特許請求の範囲】
【請求項１】
液保持性の吸収体を備え、着用者の前後方向に相当する縦方向とこれに直交する横方向とを有し、別体の着用物品の肌対向面上に取り外し可能に固定されて、該着用物品と共に着用される吸収パッドであって、
着用時に前記着用物品の肌対向面に当接される着用物品当接面に、前記吸収パッドを該着用物品に取り外し可能に固定する固定部材として、該着用物品に係合可能な第１のフック材及び第２のフック材が配されており、両フック材は、該着用物品当接面の縦方向中央部を挟んで縦方向一方側と他方側とに離間配置されており、
前記第１のフック材及び前記第２のフック材は、それぞれ、支持体と、該支持体の表面に設けられた多数個のフックとを含んで構成され、該フックは、該支持体の表面から起立する基端部と、該基端部の先端から所定方向に向かって張り出した張り出し部とを有し、
前記第１のフック材と前記第２のフック材とは、前記フックにおける前記張り出し部の所定方向の最大幅と前記基端部の該所定方向と同方向の最小幅との差であるオーバーハング値又は該フックの形状が異なっており、
前記第２のフック材は、前記第１のフック材に比して剥離力が弱い吸収パッド。
【請求項２】
前記第２のフック材は、前記第１のフック材に比して剥離力が７０％以下である請求項１に記載の吸収パッド。
【請求項３】
前記第１のフック材及び前記第２のフック材よりも縦方向内方に、弾性体が縦方向に伸長状態で配置されている請求項１又は２に記載の吸収パッド。
【請求項４】
前記弾性体は、前記第１のフック材及び前記第２のフック材の少なくとも一方と横方向において重複し、且つ該弾性体の横方向長さは、該第１のフック材又は該第２のフック材の横方向における長さの５０％以上１２０％以下の範囲にある請求項３に記載の吸収パッド。
【請求項５】
液保持性の吸収体を備え、着用者の前後方向に相当する縦方向とこれに直交する横方向とを有し、別体の着用物品の肌対向面上に取り外し可能に固定されて、該着用物品と共に着用される吸収パッドであって、
着用時に前記着用物品の肌対向面に当接される着用物品当接面に、前記吸収パッドを該着用物品に取り外し可能に固定する固定部材として、該着用物品に係合可能な第１のフック材及び第２のフック材が配されており、両フック材は、該着用物品当接面の縦方向中央部を挟んで縦方向一方側と他方側とに離間配置されており、
前記第２のフック材は、前記第１のフック材に比して剥離力が弱く、
前記第１のフック材及び前記第２のフック材よりも縦方向内方に、弾性体が縦方向に伸長状態で配置されており、
前記弾性体は、前記第１のフック材及び前記第２のフック材の少なくとも一方と横方向において重複し、且つ該弾性体の横方向長さは、該第１のフック材又は該第２のフック材の横方向における長さの５０％以上１２０％以下の範囲にある吸収パッド。
【請求項６】
前記第２のフック材は、前記第１のフック材に比して剥離力が７０％以下である請求項５に記載の吸収パッド。
【請求項７】
前記吸収体の非肌対向面側に、前記着用物品当接面を形成する裏面シートが配され、該裏面シートと該吸収体との間に、前記弾性体が介在配置されている請求項３〜６の何れか一項に記載の吸収パッド。
【請求項８】
前記弾性体は、前記第２のフック材の近傍に位置しているか、又は平面視において前記第２のフック材と重なっている請求項３〜７の何れか一項に記載の吸収パッド。
【請求項９】
前記吸収体は吸収性コアを有し、該吸収性コアに該吸収性コアを厚み方向に貫通する横長の開口部が形成されており、平面視において該開口部と前記弾性体とが重なっている請求項３〜８の何れか一項に記載の吸収パッド。
【請求項１０】
前記開口部は前記弾性体に比して横方向長さが長い請求項９に記載の吸収パッド。
【発明の詳細な説明】
【技術分野】
【０００１】
本発明は、吸収性物品等の着用物品（アウター）と重ねて使用される吸収パッド（インナー）に関する。
【背景技術】
【０００２】
従来、尿等の排泄物の処理に伴う経済的、労力的な負担の軽減を目的として、吸収パッドを、使い捨ておむつ等の着用物品の肌対向面に重ねて使用することが行われている。例えば、吸収パッドの一種である尿取りパッドは、身体機能が衰えたり、疾患により衰弱した成人（多くは高齢者）等が着用する使い捨ておむつの表面シートの上に固定され、失禁した尿を吸収保持させるのに使用されるところ、排泄される尿の量が比較的少量の場合には、尿取りパッドのみを交換するだけで済み、使い捨ておむつの交換頻度を減らすことができる。
【０００３】
吸収パッドには、これを吸収性物品等の着用物品の肌対向面に取り外し可能に固定する固定部材が取り付けられたものがあり、この固定部材として、機械的ファスナーを利用したものが知られている（例えば特許文献１）。機械的ファスナーは、外面に多数のフックを有するフック材からなるいわゆるオス部材と、該オス部材が取り外し可能に被着されるいわゆるメス部材とからなり、オス部材のフックをメス部材が有するループ状繊維又は不織布繊維に引っ掛けるようにして、オス部材をメス部材に止着させるようになされている。吸収パッドが固定される使い捨ておむつ等の吸収性物品の肌対向面は、不織布によって形成される場合が多いところ、不織布には多くのループ状繊維やフック材に絡むことができる複数の繊維が存在するため、吸収パッドの固定部材としてフック材（オス部材）を用いることで、その固定部材としてのフック材を介して、吸収パッドを着用物品の肌対向面、例えば不織布製表面シートに容易に固定することができる。
【０００４】
機械的ファスナーのオス部材を利用した吸収パッドに関し、例えば特許文献２には、着用時に下着等の着用物品の肌対向面に当接される着用物品当接面に、固定部材として、係合力の異なる２種類のメカニカルファスニング要素を配置した吸収パッドが記載されている。特許文献２記載の吸収パッドにおいては、この２種類のメカニカルファスニング要素のうち、相対的に係合力の高い方は、該吸収パッドの中心領域に配置され、相対的に係合力の低い方は、該中心領域と該吸収パッドの外縁部との間に配置される。特許文献２記載の吸収パッドによれば、下着に確実に取り付けられることができ、メカニカルファスニング要素によって起こり得る下着の損傷を最小限にすることができるとされている。
【０００５】
また特許文献３には、吸収パッドを固定した状態で下着等の着用物品を着用者の股間側に引き上げたときや、着用者の身体の動きによって、該吸収パッドの位置が適正位置からずれないようにする目的で、吸収パッドを長手方向に二分して、第１の半分部と第２の半部分とに分け、両半分部の着衣対向面にフック材を配置すると共に、第１の半分部と第２の半分部とでフック材の向きを異ならせることが記載されている。
【先行技術文献】
【特許文献】
【０００６】
【特許文献１】特開２００３−２１０５２４号公報
【特許文献２】特開２０１２−１８３３７９号公報
【特許文献３】特表平８−５０７２２７号公報
【発明の概要】
【発明が解決しようとする課題】
【０００７】
吸収パッドを使い捨ておむつ等の着用物品の肌対向面に固定する際には、吸収パッドが所定の効果を十分に発揮できるよう、所定の適正位置に固定する必要があり、そのためには位置合わせ作業が必要になる場合が多い。また、吸収パッドにおける着用時に着用物品に当接される着用物品当接面には通常、特許文献１〜３記載の吸収パッドのように、固定部材としてのフック材が複数配されている。そこで、このような、フック材を複数有する吸収パッドについての着用物品に対する位置合わせは、先ず、吸収パッドの複数のフック材のうちの一部、例えば吸収パッドの長手方向一端部に配されたフック材のみを着用物品に係合させて、吸収パッドを着用物品に対して半固定状態とし、次いで、その半固定状態のままで吸収パッドを適宜動かし、適当な位置で残りのフック材、例えば吸収パッドの長手方向他端部に配されたフック材を着用物品に係合させて、吸収パッドを仮固定することで行われる場合が多い。そして、その仮固定で着用感等に問題が無ければそのまま着用し、仮固定に問題があれば再び半固定状態に戻し、適正な固定位置を探る。
【０００８】
この吸収パッドの位置合わせ方法では、最初の仮固定で吸収パッドを適正位置に固定できなければ、その仮固定の一部を解除して再び半固定状態に戻し、適正な固定位置を探ることになるため、吸収パッドのフック材を着用物品に係合させる作業を複数回実施することになる。特許文献１〜３記載の吸収パッドは、着用物品に対する固定力を向上させることを主たる課題としており、複数のフック材の係合力が何れも高いレベルにあるため、このような位置合わせ作業が行いにくく、それ故、快適な着用感が得られにくいものであった。フック材の係合力を低下させれば、フック材の係合及びその解除が容易になるため、位置合わせ作業が容易になるが、その場合は、吸収パッドの着用物品に対する係合力が低下し、着用中に吸収パッドが適正位置からずれる、吸収パッドの交換時に着用物品からずれ落ちる等の不都合が生じるおそれがある。着用物品にしっかりと固定させることができ、且つ位置合わせが容易で、快適な着用感が得られる吸収パッドは未だ提供されていない。
【０００９】
従って本発明は、着用物品に確実に固定させることができ、且つ位置合わせが容易で、快適な着用感が得られる吸収パッドに関する。
【課題を解決するための手段】
【００１０】
本発明は、液保持性の吸収体を備え、着用者の前後方向に相当する縦方向とこれに直交する横方向とを有し、別体の着用物品の肌対向面上に取り外し可能に固定されて、該着用物品と共に着用される吸収パッドであって、着用時に前記着用物品の肌対向面に当接される着用物品当接面に、前記吸収パッドを該着用物品に取り外し可能に固定する固定部材として、該着用物品に係合可能な第１のフック材及び第２のフック材が配されており、両フック材は、該着用物品当接面の縦方向中央部を挟んで縦方向一方側と他方側とに離間配置されており、前記第２のフック材は、前記第１のフック材に比して剥離力が弱い吸収パッドを提供するものである。
【発明の効果】
【００１１】
本発明によれば、着用物品に確実に固定させることができ、着用中に吸収パッドが適正位置からずれる、吸収パッドの交換時に着用物品からずれ落ちる等の不都合が生じ難く、且つ位置合わせが容易で、快適な着用感が得られる吸収パッドが提供される。
【図面の簡単な説明】
【００１２】
【図１】図１は、本発明の吸収パッドの一実施形態の肌対向面即ち表面シート側を模式的に示す平面図であり、各部の弾性部材を伸張させて平面状に拡げた展開状態における平面図である。
【図２】図２は、図１のＩ−Ｉ線断面を模式的に示す横断面図である。
【図３】図３（ａ）は、図１に示す吸収パッドにおける第１のフック材の模式的な側面図、図３（ｂ）は、図３（ａ）に示すフックの模式的な上面図である。また、図３（ｃ）は、図３（ａ）とは異なる形状の第１のフック材の模式的な側面図、図３（ｄ）は、図３（ｃ）に示すフックの模式的な上面図である。
【図４】図４は、図１に示す吸収パッドにおける第２のフック材の模式的な側面図、図４（ｂ）は、図４（ａ）に示すフックの模式的な上面図である。
【図５】図５は、図１に示す吸収パッドの着用物品当接面における第２のフック材及びその近傍を一部破断して模式的に示す平面図である。
【図６】図６は、図５のＩＩ−ＩＩ線断面を模式的に示す縦断面図である。
【図７】図７は、図１に示す吸収パッドの使用形態を示す断面図である。
【図８】図８（ａ）及び図８（ｂ）は、それぞれ、本発明に係るフック材の平面視形状の例示である。
【図９】図９（ａ）、図９（ｂ）及び図９（ｃ）は、それぞれ、本発明に係る吸収体の開口部の平面視形状の例示である。
【発明を実施するための形態】
【００１３】
以下、本発明の吸収パッドを、その好ましい一実施形態に基づき図面を参照して説明する。本実施形態の吸収パッド１は、図１及び図２に示すように、液保持性の吸収体４を備え、着用者の前後方向に相当する縦方向Ｘとこれに直交する横方向Ｙとを有し、図７に示すように、別体の着用物品としての使い捨ておむつ１００の肌対向面（内表面）１００ｆ上に取り外し可能に固定されて、使い捨ておむつ１００と共に着用される。
【００１４】
さらに説明すると、吸収パッド１は、液保持性の吸収体４と、該吸収体４の肌対向面側に配された表面シート２と、該吸収体４の非肌対向面側に配された裏面シート３とを備え、図１に示す如き平面視において矩形形状を有し、その長手方向が縦方向Ｘに一致し、幅方向が横方向Ｙに一致している。
【００１５】
尚、本明細書において、「肌対向面」は、吸収パッド又はその構成部材（例えば吸収体４）における、吸収パッドの着用時に着用者の肌側に向けられる面（相対的に着用者の肌に近い側）であり、「非肌対向面」は、吸収パッド又はその構成部材における、吸収パッドの着用時に肌側とは反対側（相対的に着用者の肌から遠い側）に向けられる面である。尚、ここでいう「着用時」は、通常の適正な着用位置（当該吸収パッドの正しい着用位置）が維持された状態を意味し、吸収パッドが該着用位置からずれた状態にある場合は含まない。
【００１６】
吸収パッド１は、図１に示すように、着用時に着用者の股間部に配される股下部１Ｍと、着用時に股下部１Ｍよりも着用者の腹側に配される前方部１Ｆと、着用時に股下部１Ｍよりも着用者の背側に配される後方部１Ｒとを縦方向Ｘに有している。股下部１Ｍは、吸収パッド１の着用時に着用者の排泄部に対向配置される排泄部対向部を有しており、該排泄部対向部は通常、吸収パッド１の縦方向Ｘの中央部又はその近傍に位置している。
【００１７】
表面シート２及び裏面シート３は、それぞれ、吸収体４よりも大きな寸法を有し、吸収体４の周縁から外方に延出し、その延出部において互いに接合されている。裏面シート３は、図１に示す如き展開且つ伸張状態の吸収パッド１の外形を形成している。
表面シート２は液透過性であり、尿などの液体を透過させることができる。表面シート２としては、液透過性のシート材料を用いることができ、例えば、カード法により製造された不織布、エアスルー不織布、スパンボンド不織布、メルトブローン不織布、スパンレース不織布及びニードルパンチ不織布等の種々の不織布；開口手段によって液透過可能とされた樹脂フィルム、例えば多孔性樹脂フィルム等が挙げられる。表面シート２として用いる不織布は、親水性不織布であることが好ましい。
裏面シート３は、液不透過性シートであることが好ましい。液不透過性シートである裏面シート３は、透湿性シート、透湿性フィルムと不織布をホットメルトや熱で接着した複合シート、撥水性不織布であっても良い。また、裏面シート３は、吸収パッド１に排泄された尿を使い捨ておむつ等の着用物品に吸収させるため、表面シート２と同様の液透過性不織布であっても良い。
【００１８】
吸収体４は、図２に示すように、液保持性の吸収性コア４０と、該吸収性コア４０の肌対向面及び非肌対向面を被覆する液透過性のコアラップシート４１とを含んで構成されている。吸収性コア４０は、図１に示す如き平面視において、股下部１Ｍに位置する縦方向Ｘの中央部が内方に括れた砂時計状をなし、縦方向Ｘに長い形状を有している。コアラップシート４１は、吸収性コア４０の横方向Ｙの長さの２倍以上３倍以下の幅を有する１枚の連続したシートである。コアラップシート４１は、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。吸収性コア４０とコアラップシート４１との間は、ホットメルト型接着剤等の公知の接合手段により接合されていても良い。吸収性コア４０としては、例えば、木材パルプ、親水化剤により処理された合繊繊維等の親水性繊維からなる繊維集合体、又は該繊維集合体に粒子状の吸水性ポリマーを保持させたもの等を用いることができる。コアラップシート４１としては、紙、不織布等の液透過性のシート材料を用いることができ、不織布としては、例えばエアスルー不織布、スパンボンド不織布、スパンボンド（Ｓ）とメルトブローン（Ｍ）とを組み合わせた不織布（いわゆるＳＭＳ、ＳＭＭＳ、ＳＳＭＳ等の不織布）を用いることができる。また、コアラップシート４１は、図示の如き１枚の連続したシートからなる形態に限定されず、互いに別体をなす複数枚のシートを含む形態でも良く、例えば、吸収性コア４０の肌対向面を覆う肌側コアラップシート及び吸収性コア４０の非肌対抗面を覆う非肌側コアラップシートの２枚のシートを含んで構成されていても良い。
【００１９】
図１及び図２に示すように、吸収パッド１の肌対向面側即ち表面シート２側における縦方向Ｘに沿う左右両側には、一対の防漏カフ５，５が、吸収パッド１の縦方向Ｘの全長に亘って連続的に配置されている。一対の防漏カフ５，５は、それぞれ、吸収パッド１の縦方向Ｘの全長に亘って連続する１枚の防漏カフ形成用シート５０と、該シート５０に伸張状態で固定された１本又は複数本（本実施形態では１本）の糸状の防漏カフ形成用弾性部材５１とを含んで構成されている。
【００２０】
防漏カフ形成用シート５０は、縦方向Ｘに沿う内側縁部５０ｐと、該内側縁部５０ｐよりも横方向Ｙの外方に位置して縦方向Ｘに沿う外側縁部５０ｑとを有し、図１に示す如き平面視において、内側縁部５０ｐは吸収体４と重なり、外側縁部５０ｑは吸収体４の縦方向Ｘに沿う側縁から横方向Ｙの外方に延出している。防漏カフ形成用弾性部材５１は、防漏カフ形成用シート５０の内側縁部５０ｐに伸張状態で固定されている。防漏カフ形成用シート５０は、吸収体４の横方向Ｙの外方にて、外側縁部５０ｑ側が表面シート２及び裏面シート３に接合されており、吸収パッド１の着用時に弾性部材５１が収縮すると、その接合部５２を起点として、少なくとも股下部１Ｍにおいて内側縁部５０ｐ側が着用時に着用者の肌側に向かって起立する。接合部５２は、ホットメルト接着剤等の接着剤が塗布されて形成されており、図１に示す如き平面視において縦方向Ｘに延びる連続した直線状をなしている。防漏カフ形成用シート５０としては、液不透過性若しくは液難透過性又は撥水性のシート材料を用いることができ、例えば、液不透過性又は撥水性の不織布（エアスルー不織布、スパンボンド不織布、ＳＭＳ、ＳＭＭＳ、ＳＳＭＳ等の不織布）、液不透過性又は撥水性の樹脂フィルム、樹脂フィルムと不織布との積層体等を用いることができる。
【００２１】
また図１及び図２に示すように、着用者の脚周りに配される左右のレッグ部における防漏カフ形成用シート５０と裏面シート３との間には、糸状のレッグ部弾性部材５３が縦方向Ｘに沿って伸長状態で固定されており、これにより、吸収パッド１の着用時におけるレッグ部には、弾性部材５３の収縮により一対のレッグギャザーが形成される。
【００２２】
吸収パッド１は、着用時に吸収パッド１とは別体の着用物品の肌対向面に当接される着用物品当接面１ｂを有している。吸収パッド１の着用物品当接面１ｂは、吸収パッド１の非肌対向面であり、裏面シート３から形成されている。尚、吸収パッド１における着用物品当接面（非肌対向面）１ｂとは反対側に位置する肌対向面１ｆは、表面シート２及び防漏カフ形成用シート５０から形成されている。
【００２３】
図１に示すように、吸収パッド１の着用物品当接面１ｂには、吸収パッド１をおむつ１００に取り外し可能に固定する固定部材として、図７に示す使い捨ておむつ１００の如き着用物品に係合可能な第１のフック材６Ａ及び第２のフック材６Ｂが配されている。本実施形態においては、２個のフック材６Ａ，６Ｂが着用物品当接面１ｂの縦方向Ｘの中央部を挟んで縦方向一方側と他方側とに離間配置されている。より具体的には、着用物品当接面１ｂの縦方向Ｘの中央部、即ち股下部１Ｍにはフック材は配されておらず、股下部１Ｍよりも縦方向Ｘの外方に位置する前方部１Ｆに第１のフック材６Ａが１個配され、後方部１Ｒに第２のフック材６Ｂが１個配されている。またフック材６Ａ，６Ｂは、図１に示す如き平面視において吸収体４と重なっている。
【００２４】
吸収パッド１の着用物品に対する介護者や被介護者による位置合わせのしやすさや装着中の吸収パッド１の手直しのしやすさ、さらに着用感を高める観点から、２個のフック材６Ａ，６Ｂの離間距離Ｌ１（図１参照）は、吸収パッド１の縦方向Ｘの全長に対して、好ましくは５０％以上、さらに好ましくは６０％以上、そして、好ましくは８５％以下、さらに好ましくは８０％以下、より具体的には、好ましくは５０％以上８５％以下、さらに好ましくは６０％以上８０％以下である。また同様の観点から、離間距離Ｌ１は、好ましくは２００ｍｍ以上、さらに好ましくは２４０ｍｍ以上、そして、好ましくは５４０ｍｍ以下、さらに好ましくは５００ｍｍ以下、より具体的には、好ましくは２００ｍｍ以上５４０ｍｍ以下、さらに好ましくは２４０ｍｍ以上５００ｍｍ以下である。
【００２５】
図３には、第１のフック材６Ａの一部が拡大して示されており、また図４には、第２のフック材６Ｂの一部が拡大して示されている。フック材６Ａ，６Ｂは何れも、支持体６０と、該支持体６０の表面に設けられた多数個のフック６１Ａ，６１Ｂとを含んで構成されている。フック６１Ａ，６１Ｂは何れも、支持体６０の表面から起立する基端部６１ｓと、該基端部６１ｓの先端から所定方向に向かって張り出した張り出し部６１ｔとを有している。尚、図３には、図３（ａ）及び図３（ｂ）に示すマッシュルーム型のフック６１Ａを有するものと、図３（ｃ）及び図３（ｄ）に示す矢尻型のフック６１Ａを有するものとの２種類の第１のフック材６Ａが示されているが、第１のフック材６Ａとしてはどちらか一方のみを用いても良く、両者を組み合わせて用いても良い。図３（ａ）及び図３（ｂ）に示すマッシュルーム型のフック６１Ａは、図３（ｂ）に示す如き上面視において、張り出し部６１ｔが基端部６１ｓの周縁全体から外方にはみ出した形状をなしている。図３（ｃ）及び図３（ｄ）に示す矢尻型のフック６１Ａは、図３（ｄ）に示す如き上面視において、張り出し部６１ｔが基端部６１ｓの周縁の一部のみから外方にはみ出した形状をなしている。以下のフック６１Ａあるいは第１のフック材６Ａに関する説明は、特に断らない限り、マッシュルーム型及び矢尻型の両方に適用され、図面において同一の構成部分には同一の符号を付している。
【００２６】
フック６１Ａ，６１Ｂは、支持体６０の表面上において秩序的に配列されていても良く、無秩序に配列されていても良い。支持体６０はシート状をなし、フック材６Ａ，６Ｂの外形を形作っている。本実施形態における支持体６０は、図１に示すように、平面視において一方向に長い形状、より具体的には矩形形状をなし、その長手方向を横方向Ｙに一致させて、着用物品当接面１ｂに接着剤等の公知の固定手段によって固定されている。フック６１Ａ，６１Ｂは何れも、支持体６０の表面から起立する基端部６１ｓと、該基端部６１ｓの先端から所定方向に向かって張り出した張り出し部６１ｔとを有している。図３及び図４に示すように、基端部６１ｓの横方向Ｙに最もくびれた部分の横方向Ｙの長さ（横方向最小幅）をステム幅Ｓｙとし、張り出し部６１ｔの横方向Ｙに最も張り出した部分の横方向Ｙの長さ（横方向最大幅）を幅Ｗｙとする。また、基端部６１ｓの縦方向Ｘに最もくびれた部分の縦方向Ｘの長さ（縦方向最小幅）をステム幅Ｓｘとし、張り出し部６１ｔの縦方向Ｘに最も張り出した部分の縦方向Ｘの長さ（縦方向最大幅）を幅Ｗｘとする。張り出し部６１ｔは、使い捨ておむつ等の着用物品に直接係合する部位であり、フック６１Ａ，６１Ｂの張り出し方向は、張り出し部６１ｔの張り出し方向によって決まる。フック材６Ａ，６Ｂの係合力は、フック６１Ａ，６１Ｂにおける張り出し部６１ｔの最大幅Ｗｘ，Ｗｙと基端部６１ｓのステム幅（最小幅）Ｓｘ，Ｓｙとの差であり、張り出し部６１ｔの張り出し程度を表すオーバーハング値によって異なる。そこで、フック６１Ａ，６１Ｂそれぞれの横方向Ｙのオーバーハング値Ｈｙは、張り出し部６１ｔの横方向Ｙに最も張り出した部分の幅Ｗｙ−ステム幅Ｓｙとし、縦方向Ｘのオーバーハング値Ｈｘは、張り出し部６１ｔの縦方向Ｘに最も張り出した部分の幅Ｗｘ−ステム幅Ｓｘとする。オーバーハング値Ｈｙは、フック材の製造方法の幅方向（Cross machine Direction）と重なる方向であり、フック材の係合力を設計する上で重要である。
【００２７】
第１のフック材６Ａのフック６１Ａと第２のフック材６Ｂのフック６１Ｂとは、オーバーハング値Ｈｙ、Ｈｘ、又は、形状が異なる。フック６１Ａの形状については前述した通りであり、具体例として、図３（ａ）及び図３（ｂ）に示すマッシュルーム型と、図３（ｃ）及び図３（ｄ）に示す矢尻型とが挙げられる。一方、フック６１Ｂは、図４（ｂ）に示す如き上面視において、張り出し部６１ｔが基端部６１ｓの周縁から外方にはみ出した形状のピン型フック材である。
【００２８】
マッシュルーム型のフック６１Ａは、図３（ｂ）に示すように、張り出し部６１ｔの横方向最大幅Ｗｙが縦方向最大幅Ｗｘに比して長く、それに起因して、張り出し部６１ｔの基端部６１ｓからの張り出し長さは、横方向Ｙの方が縦方向Ｘよりも長い。ピン型のフック６１Ｂも、フック６１Ａと同様に図４（ｂ）に示すように、張り出し部６１ｔの横方向最大幅Ｗｙが縦方向最大幅Ｗｘに比して長い。しかし、ピン型のフック６１Ｂにおいては、張り出し部６１ｔの縦方向最大幅Ｗｘが基端部６１ｓのステム幅（縦方向最小幅）Ｓｘとほぼ同じであるため、張り出し部６１ｔは、縦方向Ｘにおいては基端部６１ｓの周縁から殆どはみ出しておらず、実質的に横方向Ｙにおいてのみ基端部６１ｓの周縁からはみ出している。
【００２９】
本実施形態の吸収パッド１の主たる特徴の１つとして、第１のフック材６Ａと第２のフック材６Ｂとで剥離力が異なっており、第２のフック材６Ｂが第１のフック材６Ａに比して剥離力が弱い、即ち、第２のフック材６Ｂの方が着用物品から剥がしやすい点が挙げられる。第２のフック材６Ｂは、図４に示す如きピン型に限定されず、例えば図３（ａ）及び（ｂ）に示す如きマッシュルーム型のフック材であっても良く、要は、第１のフック材６Ａと比較して剥離力が弱いものであれば良い。
【００３０】
吸収パッド１は、フック材６Ａ，６Ｂを介して、使い捨ておむつ等の着用物品の肌対向面に固定されて使用される。吸収パッド１が固定される着用物品の肌対向面は、ループ状繊維を有するループ材又は不織布繊維から形成されており、このループ状繊維又は不織布繊維にフック材６Ａ，６Ｂが有するフック６１Ａ，６１Ｂを引っ掛けることによって、吸収パッド１は着用物品に固定されるところ、その固定力即ち係合力が大きいほど、吸収パッド１の着用物品に対する固定が強固なものとなり、着用中に吸収パッド１が適正位置からずれる、吸収パッド１の交換時に着用物品からずれ落ちる等の不都合が起こり難くなる。尚、ループ材は、ループ状繊維を有する物以外に、いわゆる不織布であっても良く、具体的には例えば、エアスルー不織布、スパンボンド不織布、ＳＭＳ不織布、ＳＳＭＳ不織布であっても良く、より具体的には、図７に示すおむつ１００の肌対向面１００ｆを形成する表面シートに用いられる不織布であっても良い。
【００３１】
フック材の係合力は、剥離力とせん断力で表すことができる。剥離力は、主としてフック材とループ材との絡み合いによって生じる力であり、吸収パッドと着用物品とが該吸収パッドのフック材と該着用物品のループ材とを介して固定されている状態から、両者の被固定面が離れるように該吸収パッドを剥がそうとするときに抵抗する力である。一方、せん断力は、吸収パッドと着用物品とが同様に固定されている状態から、両者の被固定面が離れないように該被固定面に沿って該吸収パッド又は該着用物品を引いたときに抵抗する力であり、フック材の面方向に沿った外力が作用して初めて発現する力である。フック材の剥離力及びせん断力は、それぞれ、下記方法によって測定することができる。下記測定方法からも明らかなように、本発明において剥離力は「９０度剥離力」であり、せん断力は「１８０度剥離力」である。
【００３２】
＜フック材の剥離力の測定方法＞
吸収パッドから、測定対象のフック材を含む、縦方向長さ１００ｍｍ及び横方向長さ５０ｍｍの平面視矩形形状を切り出して、フック材の横方向長さが５０ｍｍの試験片とする。フック材の縦方向長さは、特に切断などは行わず、フック材の長さそのものとする。また被着片として、試験片と同形状で縦方向長さ１００ｍｍ及び横方向長さ６０ｍｍの紙おむつの表面シートを用意する。具体的には、被着片として、旭化成せんい株式会社製親水性スパンボンド不織布（商品名エルタスアクア）、坪量２０ｇ／ｍ2を用い、縦方向長さ１００ｍｍ及び横方向長さ６０ｍｍを用意する。試験片と被着片とを、該試験片のフック材が該被着片と当接するように重ね合わせて積層体を得、該積層体を、該被着片が上になるように平坦面上に載置し、２ｋｇのローラーを該積層体上にて二往復させて、被着片とその下方の試験片とをフック材を介して圧着させ、測定サンプルを得る。この測定サンプルを、引張試験機（株式会社オリエンテック製テンシロン引張試験機ＲＴＭ１００）のチャック間に装着する。引張試験機のチャック間距離は４０ｍｍに設定する。そして、測定サンプルの形状がＴ型となるようにこれを支えながら、引張速度３００ｍｍ／分で該測定サンプルをその長手方向、即ち吸収パッドにおける縦方向に引っ張って試験片と被着片とにＴ型に剥離（９０度剥離）し、その際の引張荷重の最大値を記録する。測定は３回行い、それらの平均値を当該フック材の剥離力（単位：ｃＮ／５０ｍｍ）とする。尚、試験片におけるフック材の横方向長さ（引張方向と直交する方向の長さ）が５０ｍｍ取れない場合は、５０ｍｍに近い最大の横方向長さにて測定を行い、５０ｍｍの横方向長さに換算することにより、フック材の剥離力を求める。
【００３３】
＜フック材のせん断力の測定方法＞
前記＜フック材の剥離力の測定方法＞において、測定サンプルをＴ型に剥離させずに、１８０度剥離させた以外は、前記＜フック材の剥離力の測定方法＞と同様にして、フック材のせん断力を求める。測定サンプルの１８０度剥離は、測定サンプルの縦方向一端における試験片と他端における被着片とを、それぞれ引張試験機のチャックに挟んで、１８０度反対方向に引っ張ることで行う。この時、引張試験機のチャック間距離は１００ｍｍに設定する。
【００３４】
前述したように、フック材の係合力は「剥離力」（９０度剥離力）及び「せん断力」（１８０度剥離力）という、異なる２つの特性で表すことができるところ、本実施形態においては特に、これら２つの特性のうちの剥離力に着目し、第１のフック材６Ａと第２のフック材６Ｂとで剥離力が異ならせている、より具体的には、剥離力に関して「第１のフック材６Ａ＞第２のフック材６Ｂ」なる大小関係が成立するようにしている。斯かる構成によって、吸収パッド１の位置合わせが容易になり、延いては快適な着用感が得られるようになる。つまり、相対的に剥離力の弱い第２のフック材６Ｂは、相対的に剥離力の強い第１のフック材６Ａに比して着用物品に対する係合力が弱いため、第２のフック材６Ｂを着用物品に係合させた後に該着用物品から剥がす操作を容易に行うことができ、斯かる操作を繰り返し行っても煩雑さを感じにくい。従って、吸収パッド１を着用物品に固定する際の位置合わせは、例えば、第１のフック材６Ａを着用物品に係合させることによって、吸収パッド１を着用物品に対して半固定状態としておき、その半固定状態のままで吸収パッド１を適宜動かし、適当な位置で第２のフック材６Ｂを着用物品に係合させて、吸収パッド１を仮固定する方法を採ることができる。
【００３５】
第２のフック材６Ｂの剥離力は、第１のフック材６Ａの剥離力に対して、好ましくは３％以上、さらに好ましくは５％以上、そして、好ましくは７０％以下、さらに好ましくは５０％以下、殊更好ましくは４０％以下、より具体的には、好ましくは３％以上７０％以下、さらに好ましくは５％以上５０％以下、殊更好ましくは５％以上４０％以下である。
第１のフック材６Ａの剥離力は、好ましくは５０ｃＮ／５０ｍｍ以上、さらに好ましくは６０ｃＮ／５０ｍｍ以上、そして、好ましくは１５０ｃＮ／５０ｍｍ以下、さらに好ましくは１２０ｃＮ／５０ｍｍ以下、より具体的には、好ましくは５０ｃＮ／５０ｍｍ以上１５０ｃＮ／５０ｍｍ以下、さらに好ましくは６０ｃＮ／５０ｍｍ以上１２０ｃＮ／５０ｍｍ以下である。
第２のフック材６Ｂの剥離力は、好ましくは１．５ｃＮ／５０ｍｍ以上、さらに好ましくは２．５ｃＮ／５０ｍｍ以上、そして、好ましくは９０ｃＮ／５０ｍｍ以下、さらに好ましくは７５ｃＮ／５０ｍｍ以下、殊更好ましくは６０ｃＮ／５０ｍｍ以下、より具体的には、好ましくは１．５ｃＮ／５０ｍｍ以上９０ｃＮ／５０ｍｍ以下、さらに好ましくは２．５ｃＮ／５０ｍｍ以上７５ｃＮ／５０ｍｍ以下、殊更好ましくは２．５ｃＮ／５０ｍｍ以上６０ｃＮ／５０ｍｍ以下である。
【００３６】
フック材６Ａ，６Ｂの剥離力は、様々な方法で調整することができる。一般に、フック材の剥離力は、フックの形状、フックの先端部即ち張り出し部の大きさ、フックの支持体からの高さ、フックの設置密度等によって決まるため、これらを適宜調整することで、剥離力に関して、第１のフック材６Ａ＞第２のフック材６Ｂなる大小関係が得られる。一般に、マッシュルーム型とピン型とでは、前者の方が、張り出し部の基端部からのはみ出し部分が多いために剥離力が強く、ループ材から剥がし難い。前述したように、本実施形態においては、第１のフック材６Ａのフック６１Ａはマッシュルーム型（図３（ａ）及び図３（ｂ）参照）又は矢尻型（図３（ｃ）及び図３（ｄ）参照）、第２のフック材６Ｂのフック６１Ｂはピン型であり、斯かるフック６１Ａ，６１Ｂの形状の違いによって、第１のフック材６Ａ＞第２のフック材６Ｂなる大小関係が得られる。また一般に、フックの張り出し程度を表すオーバーハング値Ｈｘ，Ｈｙが大きいほど、フックの高さが高いほど、フックの設置密度が高いほど、フック材の剥離力は大きくなるので、これらも適宜組み合わせることによって、第１のフック材６Ａ＞第２のフック材６Ｂなる大小関係がより一層確実に得られるようになる。
【００３７】
第１のフック材６Ａにおけるフック６１Ａの横方向Ｙのオーバーハング値Ｈｙに対する第２のフック材６Ｂにおけるフック６１Ｂの横方向Ｙのオーバーハング値Ｈｙの比、即ち、（フック６１Ｂのオーバーハング値Ｈｙ）／（フック６１Ａのオーバーハング値Ｈｙ）は、好ましくは０以上、さらに好ましくは０．０３以上、特に好ましくは、０．０５以上、そして、好ましくは０．７以下、さらに好ましくは０．６以下、特に好ましくは０．５以下であることが、吸収パッド１の装着位置の手直しのしやすさの点から好ましい。
【００３８】
第１のフック材６Ａを構成するマッシュルーム型又は矢尻型のフック６１Ａにおける各部の寸法は下記範囲にあることが好ましい。
張り出し部６１ｔの横方向Ｙのオーバーハング値Ｈｙ、即ち、（張り出し部６１ｔの横方向最大幅Ｗｙ）−（基端部６１ｓの横方向最小幅であるステム幅Ｓｙ）は、好ましくは１００μｍ以上、さらに好ましくは１２０μｍ以上、そして、好ましくは３６０μｍ以下、さらに好ましくは３３０μｍ以下、より具体的には、好ましくは１００μｍ以上３６０μｍ以下、さらに好ましくは１２０μｍ以上３３０μｍ以下である。
張り出し部６１ｔの縦方向Ｘのオーバーハング値Ｈｘ、即ち、（張り出し部６１ｔの縦方向最大幅Ｗｘ）−（基端部６１ｓの縦方向最小幅であるステム幅Ｓｘ）は、好ましくは４０μｍ以上、さらに好ましくは６０μｍ以上、そして、好ましくは２２０μｍ以下、さらに好ましくは２００μｍ以下、より具体的には、好ましくは４０μｍ以上２２０μｍ以下、さらに好ましくは６０μｍ以上２００μｍ以下である。
フック６１Ａの支持体６０からの高さＴｚ（図３（ａ）及び図３（ｃ）参照）は、好ましくは２００μｍ以上、さらに好ましくは２５０μｍ以上、そして、好ましくは５００μｍ以下、さらに好ましくは４５０μｍ以下、より具体的には、好ましくは２００μｍ以上５００μｍ以下、さらに好ましくは２５０μｍ以上４５０μｍ以下である。
フック６１Ａの設置密度は、１平方インチ当たり、好ましくは１２００個以上、さらに好ましくは１４００個以上、そして、好ましくは２６００個以下、さらに好ましくは２４００個以下、より具体的には、好ましくは１２００個以上２６００個以下、さらに好ましくは１４００個以上２４００個以下である。
【００３９】
第２のフック材６Ｂを構成するピン型のフック６１Ｂにおける各部の寸法は下記範囲にあることが好ましい。
張り出し部６１ｔの横方向Ｙのオーバーハング値Ｈｙ、即ち、（張り出し部６１ｔの横方向最大幅Ｗｙ）−（基端部６１ｓの横方向最小幅であるステム幅Ｓｙ）は、好ましくは５μｍ以上、さらに好ましくは１０μｍ以上、そして、好ましくは１２０μｍ以下、さらに好ましくは１００μｍ以下、より具体的には、好ましくは５μｍ以上１２０μｍ以下、さらに好ましくは１０μｍ以上１００μｍ以下である。
張り出し部６１ｔの縦方向Ｘのオーバーハング値Ｈｘ、即ち、（張り出し部６１ｔの縦方向最大幅Ｗｘ）−（基端部６１ｓの縦方向最小幅であるステム幅Ｓｘ）は、好ましくは０μｍ以上、さらに好ましくは４μｍ以上、そして、好ましくは１００μｍ以下、さらに好ましくは８０μｍ以下、より具体的には、好ましくは０μｍ以上１００μｍ以下、さらに好ましくは４μｍ以上８０μｍ以下である。
フック６１Ｂの支持体６０からの高さＴｚ（図４参照）は、好ましくは１２０μｍ以上、さらに好ましくは１８０μｍ以上、そして、好ましくは４５０μｍ以下、さらに好ましくは３６０μｍ以下、より具体的には、好ましくは１２０μｍ以上４５０μｍ以下、さらに好ましくは１８０μｍ以上３６０μｍ以下である。
フック６１Ｂの設置密度は、１平方インチ当たり、好ましくは６００個以上、さらに好ましくは８００個以上、そして、好ましくは２０００個以下、さらに好ましくは１８００個以下、より具体的には、好ましくは６００個以上２０００個以下、さらに好ましくは８００個以上１８００個以下である。
【００４０】
フック材６Ａ，６Ｂの剥離力は、それらの面積によっても調整可能であり、剥離力に関して、第１のフック材６Ａ＞第２のフック材６Ｂなる大小関係を得るために、第２のフック材６Ｂの面積を第１のフック材６Ａの面積よりも小さくしても良い。第２のフック材６Ｂの面積は、第１のフック材６Ａの面積に対して、好ましくは３０％以上、さらに好ましくは４０％以上、そして、好ましくは８０％以下、さらに好ましくは７０％以下、より具体的には、好ましくは３０％以上８０％以下、さらに好ましくは４０％以上７０％以下である。
【００４１】
第１のフック材６Ａ及び第２のフック材６Ｂそれぞれの縦方向Ｘの長さは、好ましくは８ｍｍ以上、さらに好ましくは１０ｍｍ以上、そして、好ましくは３５ｍｍ以下、さらに好ましくは３０ｍｍ以下、より具体的には、好ましくは８ｍｍ以上３５ｍｍ以下、さらに好ましくは１０ｍｍ以上３０ｍｍ以下である。
第１のフック材６Ａ及び第２のフック材６Ｂそれぞれの横方向Ｙの長さは、好ましくは３０ｍｍ以上、さらに好ましくは４０ｍｍ以上、そして、好ましくは１５０ｍｍ以下、さらに好ましくは１２０ｍｍ以下、より具体的には、好ましくは３０ｍｍ以上１５０ｍｍ以下、さらに好ましくは４０ｍｍ以上１２０ｍｍ以下である。
【００４２】
ところで、前述したように本実施形態においては、剥離力に関しては、第１のフック材６Ａと第２のフック材６Ｂとで大小関係を設けているが、せん断力に関しては、両フック材６Ａ，６Ｂ間に大小関係が無くても良く、また大小関係があったとしても、それが剥離力とは逆の関係であっても、即ち、第２のフック材６Ｂが第１のフック材６Ａに比してせん断力が強くても構わない。その理由は、フック材６Ａ，６Ｂの着用物品（ループ材）に対する係合力において、吸収パッド１の位置合わせの操作性に対する影響力が大きいのは剥離力であり、せん断力の影響力は大きくないためである。
【００４３】
第１のフック材６Ａのせん断力は、好ましくは１２００ｃＮ／５０ｍｍ以上、さらに好ましくは１５００ｃＮ／５０ｍｍ以上、そして、好ましくは３０００ｃＮ／５０ｍｍ以下、さらに好ましくは２７００ｃＮ／５０ｍｍ以下、より具体的には、好ましくは１２００ｃＮ／５０ｍｍ以上３０００ｃＮ／５０ｍｍ以下、さらに好ましくは１５００ｃＮ／５０ｍｍ以上２７００ｃＮ／５０ｍｍ以下である。
第２のフック材６Ｂのせん断力は、第１のフック材６Ａのせん断力と同じ範囲でも構わないが、好ましくは９００ｃＮ／５０ｍｍ以上、さらに好ましくは１２００ｃＮ／５０ｍｍ以上、そして、好ましくは３０００ｃＮ／５０ｍｍ以下、さらに好ましくは２７００ｃＮ／５０ｍｍ以下、より具体的には、好ましくは９００ｃＮ／５０ｍｍ以上３０００ｃＮ／５０ｍｍ以下、さらに好ましくは１２００ｃＮ／５０ｍｍ以上２７００ｃＮ／５０ｍｍ以下である。
【００４４】
しかしながら、フック材の着用物品に対する係合力、即ち吸収パッドの着用物品に対する固定力の観点では、フック材のせん断力は重要であり、前述したようにこれを意図的に弱めることは、吸収パッドの固定力の低下に繋がり得る。そこで本実施形態においては、位置合わせの容易性の観点から意図的に剥離力を弱めた第２のフック材６Ｂについて、位置合わせの容易性が損なわれないようにしつつ、吸収パッド１の固定力の低下を招かないような工夫を施している。
【００４５】
具体的には本実施形態においては、第１のフック材６Ａ及び第２のフック材６Ｂよりも縦方向Ｘの内方、即ち縦方向Ｘに離間配置された一対のフック材６Ａ，６Ｂ間に、弾性体を縦方向Ｘに伸長状態で配置している。通常、吸収パッド１を着用物品に固定する際には、前述した手順で位置合わせ操作を行った後あるいはこの操作を行いつつ、吸収パッド１を縦方向Ｘに延ばしてからフック材６Ａ，６Ｂを用いて着用物品に固定するところ、斯かる構成を採用することにより、吸収パッド１を着用物品に固定すると前記弾性体の収縮力が働き、それによってフック材６Ａ，６Ｂと着用物品との間にせん断力が発現するので、吸収パッド１の着用物品に対する固定力が向上し、着用中に吸収パッド１が適正位置からずれる、吸収パッド１の交換時に着用物品からずれ落ちる等の不都合がより一層発生し難くなる。
【００４６】
フック材６Ａ，６Ｂと着用物品との間にせん断力を発生させる前記「弾性体」は、第１のフック材６Ａ及び第２のフック材６Ｂよりも縦方向Ｘの内方に伸長状態で配置されていれば良く、吸収パッド１の厚み方向における配置位置は問わず、吸収パッド１の肌対向面１ｆ側即ち表面シート２側に配置されていても良く、着用物品当接面（非肌対向面）１ｂ側即ち裏面シート３側に配置されていても良い。従って本実施形態においては、防漏カフ５を構成する糸状の防漏カフ形成用弾性部材５１及びレッグ部弾性部材５３（図１及び図２参照）が前記「弾性体」として機能し得る。
【００４７】
本実施形態においては、より効果の高い前記「弾性体」として、図１、図５及び図６に示すように、糸状の防漏カフ形成用弾性部材５１よりも幅広、即ち横方向Ｙの長さが長い弾性シート７を採用している。弾性シート７は平面視矩形形状をなし、その長手方向を横方向Ｙに一致させて配置されている。弾性シート７は、図６に示すように、裏面シート３と吸収体４との間に介在配置されている。弾性シート７は、裏面シート３の肌対向面（吸収体４との対向面）に接着剤等の公知の接合手段によって固定されている。
【００４８】
弾性シート７としては、弾性を有するシート又はそれに準じる形状（糸や紐よりも幅広の形状）の材料を用いることができ、例えば、帯状の弾性部材（いわゆる平ゴム）、弾性シート又は非弾性シートの一面に糸状若しくは紐状の弾性部材を伸長状態で固定してなる複合シート、弾性を有する樹脂製フィルム、弾性を有する不織布、ポリウレタン発泡体等の弾性フォーム、あるいはこれらの２種以上を積層してなる複合シート等が挙げられる。弾性シート７としては、「非弾性繊維を主体とする伸長可能な繊維層の一面に糸状の弾性フィラメントが接合した構成」を有する伸縮シートを用いることもでき、この伸縮シートは、例えば特開２００９−６１７４３号公報に記載の方法に従って製造することができる。
【００４９】
弾性シート７の縦方向Ｘの長さは、好ましくは３０ｍｍ以上、さらに好ましくは４０ｍｍ以上、そして、好ましくは１２０ｍｍ以下、さらに好ましくは１００ｍｍ以下、より具体的には、好ましくは３０ｍｍ以上１２０ｍｍ以下、さらに好ましくは４０ｍｍ以上１００ｍｍ以下である。
弾性シート７の横方向Ｙの長さは、好ましくは３０ｍｍ以上、さらに好ましくは４０ｍｍ以上、そして、好ましくは１５０ｍｍ以下、さらに好ましくは１２０ｍｍ以下、より具体的には、好ましくは３０ｍｍ以上１５０ｍｍ以下、さらに好ましくは４０ｍｍ以上１２０ｍｍ以下である。
【００５０】
弾性シート７の採用意義をより一層高める観点から、弾性シート７は、第１のフック材６Ａ及び第２のフック材６Ｂの少なくとも一方と横方向Ｙにおいて重複していることが好ましく、弾性シート７は第２のフック材６Ｂと横方向Ｙにおいて重複していることがより好ましく、弾性シート７はフック材６Ａ，６Ｂの両方と重複していることが特に好ましい。換言すれば、第１のフック材６Ａ及び第２のフック材６Ｂそれぞれの縦方向Ｘに延びる両側縁（横方向Ｙの両端）を縦方向Ｘに仮想的に延長させた場合に、第１のフック材６Ａから延びる一対の仮想延長線に挟まれた領域内若しくは第２のフック材６Ｂから延びる一対の仮想延長線に挟まれた領域内又は両方の領域に重なる領域内に、弾性シート７の少なくとも一部が存していることが好ましい。弾性シート７は、その一部が両フック材６Ａ，６Ｂと横方向Ｙにおいて重複していなくても良いが、図１、図５及び図６に示すように、弾性シート７の全体が両フック材６Ａ，６Ｂと横方向Ｙにおいて重複している方がより効果的である。本実施形態においては、弾性シート７は、吸収パッド１の横方向Ｙの中央部、即ち、フック材６Ａ，６Ｂから延びる一対の仮想延長線に挟まれた領域の横方向Ｙの中央部に配されている。
【００５１】
同様の観点から、弾性シート７の横方向Ｙの長さは、フック材６Ａ又はフック材６Ｂの横方向Ｙにおける長さに対して、好ましくは５０％以上、さらに好ましくは７０％以上、そして、好ましくは１２０％以下、さらに好ましくは１００％以下、より具体的には、好ましくは５０％以上１２０％以下、さらに好ましくは７０％以上１００％以下である。斯かる割合が低すぎると、弾性シート７を配置する意義に乏しく、斯かる割合が高すぎると、フック材６Ｂより幅方向外側部が必要以上に収縮を起し、吸収パッド１の装着が難しく位置合わせがしにくい、装着時の着用感、特に仰向き寝の状態での着用感が悪化する要因となるおそれがある。
【００５２】
前記の「フック材６Ａ又はフック材６Ｂの横方向Ｙにおける長さ」は、第１のフック材６Ａ又は第２のフック材６Ｂの縦方向Ｘに延びる両側縁を縦方向Ｘに仮想的に延長させた場合のその一対の仮想延長線に挟まれた領域の長さである。弾性シート７の横方向Ｙの長さは、縦方向Ｘに延びる両側縁を縦方向Ｘに仮想的に延長させた場合のその一対の仮想延長線に挟まれた領域の横方向Ｙの長さである。本実施形態においては、フック材６Ａ及びフック材６Ｂは互いに同形状同寸法であり、弾性シート７は該フック材６Ａ，６Ｂよりも幅方向が狭く、且つ横方向Ｙにおいて弾性シート７は完全にフック材６Ａ，６Ｂ内に納まっているので、「フック材６Ａ又はフック材６Ｂと横方向Ｙにおいて重複している重複部分の長さ」は、弾性シート７の横方向長さに一致する。
【００５３】
また、弾性シート７の採用意義をより一層高める観点から、弾性体シート７は、図１、図５及び図６に示すように、相対的に剥離力の弱い第２のフック材６Ｂの近傍に位置していることが好ましい。同様の観点から、弾性体シート７は、平面視において第２のフック材６Ｂと重なっていることも好ましい（図示しない）。ここでいう「第２のフック材６Ｂの近傍」は、具体的には、第２のフック材６Ｂから吸収パッド１の面方向に２０ｍｍ以内の領域を意味する。
【００５４】
また、本実施形態においては、フック材６Ａ，６Ｂによる吸収パッド１の着用物品に対する固定力を一層高める観点から、前述した弾性体、即ち防漏カフ形成用弾性部材５１及び弾性シート７の採用に加えてさらに、吸収体４にも工夫を施している。具体的には、図１、図５及び図６に示すように、吸収体４を構成する吸収性コア４０に、該吸収性コア４０を厚み方向に貫通する横長の開口部４５を設け、且つ平面視において開口部４５と前記弾性体としての弾性シート７とが重なるようになしてある。前述したように、本実施形態における弾性シート７は、相対的に剥離力の弱い第２のフック材６Ｂの近傍に位置しているか、又は平面視において第２のフック材６Ｂと重なっているので、吸収体４の開口部４５は、第２のフック材６Ｂの近傍に位置しているか、又は平面視において第２のフック材６Ｂと重なっている。
【００５５】
本実施形態においては、吸収体４の開口部４５は平面視矩形形状をなし、その長手方向が横方向に一致している。本実施形態における開口部４５は、吸収性コア４０のみに形成されており、コアラップシート４１には形成されていない。吸収性コア４０に開口部４５を形成する方法としては、例えば、空気流に乗せて供給した吸収性コア４０の形成材料を、回転ドラムの外周面に形成された成形型上に吸引して堆積させて吸収性コア４０を得る方法において、該成形型として所定パターンの成形型、例えば開口部４５に対応する部位が周辺部に比して上方に突出している成形型を用いることで製造することができる。斯かる方法で得られた吸収性コア４０において、形成材料が存在していない部分が、吸収性コア４０における開口部４５である。また、吸収性コア４０に開口部４５を形成する他の方法としては、開口部を有していない吸収性コアを製造し、該吸収性コアの所定部位に型抜き加工や切削加工等の後加工を施して非積繊部を形成する方法を採用することもでき、この後加工による開口部４５の形成方法は、コアラップシート４１に開口部４５を形成する際にも利用できる。つまり、本発明の別の実施形態として開口部４５は、吸収体４の構成部材の全て、即ち吸収性コア４０及びコアラップシート４１の両方に形成されていても良い。
【００５６】
このように吸収体４あるいはその一構成部材である吸収性コア４０に開口部４５を設けることにより、吸収体４は縦方向Ｘ即ち吸収体４の長手方向に収縮しやすくなるため、フック材６Ａ，６Ｂを用いて吸収パッド１を着用物品に固定した場合に、フック材６Ａ，６Ｂと着用物品との間にせん断力が発現し、それによって吸収パッド１の着用物品に対する固定力が向上する。特に本実施形態においては、吸収体４の開口部４５が、相対的に剥離力の弱い第２のフック材６Ｂの近傍に位置しているか、又は平面視において第２のフック材６Ｂと重なっているので、開口部４５による作用効果が特に第２のフック材６Ｂに対して働きやすく、その結果、位置合わせの容易性を損なわずに、吸収パッド１の固定力を実用十分なレベルに維持し得る。尚、前述した工夫によってフック材６Ａ，６Ｂ、特に第２のフック材６Ｂに対してせん断力が向上した結果、それらのフック材を着用物品に係合させた状態から剥がす場合に剥がしにくくなることが懸念されるが、着用物品に係合しているフック材を、弾性シート７や吸収体４の収縮方向とは逆方向、即ち縦方向Ｘの外方に引っ張ることで、該フック材を容易に剥がすことができる。
【００５７】
前述した作用効果をより確実に奏させるようにする観点から、開口部４５は、図１、図５及び図６に示すように、前記弾性体としての弾性シート７に比して横方向長さが長いことが好ましい。開口部４５の横方向長さは、弾性シート７の横方向長さに対して、好ましくは８０％以上、さらに好ましくは９０％以上、そして、好ましくは１３０％以下、さらに好ましくは１２０％以下、より具体的には、好ましくは８０％以上１３０％以下、さらに好ましくは９０％以上１２０％以下である。
【００５８】
開口部４５の横方向Ｙの長さは、好ましくは３０ｍｍ以上、さらに好ましくは５０ｍｍ以上、そして、好ましくは１８０ｍｍ以下、さらに好ましくは１６０ｍｍ以下、より具体的には、好ましくは３０ｍｍ以上１８０ｍｍ以下、さらに好ましくは５０ｍｍ以上１６０ｍｍ以下である。
開口部４５の縦方向Ｘの長さは、好ましくは１０ｍｍ以上、さらに好ましくは１５ｍｍ以上、そして、好ましくは５０ｍｍ以下、さらに好ましくは４０ｍｍ以下、より具体的には、好ましくは１０ｍｍ以上５０ｍｍ以下、さらに好ましくは１５ｍｍ以上４０ｍｍ以下である。
【００５９】
吸収パッド１の寸法は、併用する着用物品の寸法等に応じて適宜調整すれば良く、特に制限されないが、通常、縦方向Ｘの長さは、好ましくは３６０ｍｍ以上、さらに好ましくは４００ｍｍ以上、そして、好ましくは８００ｍｍ以下、さらに好ましくは７２０ｍｍ以下、より具体的には、好ましくは３６０ｍｍ以上８００ｍｍ以下、さらに好ましくは４００ｍｍ以上７２０ｍｍ以下であり、また横方向Ｙの長さは、好ましくは１００ｍｍ以上、さらに好ましくは１２０ｍｍ以上、そして、好ましくは３００ｍｍ以下、さらに好ましくは２７０ｍｍ以下、より具体的には、好ましくは１００ｍｍ以上３００ｍｍ以下、さらに好ましくは１２０ｍｍ以上２７０ｍｍ以下である。
【００６０】
以上、本発明について説明したが、本発明は、前述した実施形態に制限されず適宜変更可能である。例えば前記実施形態では、フック材６Ａ，６Ｂの平面視形状は矩形形状であったが、フック材６Ａ，６Ｂの平面視形状は特に制限されず、例えば図８（ａ）に示す如きＶ字状、図８（ｂ）に示す如き円弧状であっても良い。特に図８（ｂ）に示す如き円弧状は、着用物品に対するあてがい易さ、着用物品からの剥がしやすさに優れているため、好ましい。図８（ａ）に示すＶ字状のフック材の場合、そのＶ字の頂部が吸収パッド１の縦方向Ｘの中央を向くように配されることが好ましい。また、図８（ｂ）に示す円弧状のフック材の場合、縦方向Ｘの中央に向かって凸となるように配されることが好ましい。また前記実施形態では、フック材６Ａとフック材６Ｂとで平面視形状が同じであったが、互いに異なっていても良い。
【００６１】
また前記実施形態では、吸収体４の開口部４５の平面視形状は矩形形状であったが、開口部４５の平面視形状は特に制限されず、例えば図９（ａ）に示す如き台形形状、図９（ｂ）に示す如きＶ字状、図９（ｃ）に示す如き円弧状であっても良い。図９（ａ）に示す台形形状、即ち、上底とそれよりも長い下底とを有する台形形状の開口部の場合、その上底が吸収パッド１の縦方向Ｘの中央を向くように配されることが好ましい。また、図９（ｂ）に示す如きＶ字状の開口部の場合、そのＶ字の頂部が吸収パッド１の縦方向Ｘの中央を向くように配されることが好ましい。また、図９（ｃ）に示す円弧状の開口部の場合、縦方向Ｘの中央に向かって凸となるように配されることが好ましい。
【００６２】
また前記実施形態では、第１のフック材６Ａにおけるフック６１Ａは図３に示す如きマッシュルーム型又は矢尻型、第２のフック材６Ｂにおけるフック６１Ｂは、図４に示す如きピン型であったが、フック６１Ａ，６１Ｂの形状は特に制限されず、要は、第２のフック材６Ｂが第１のフック材６Ａに比して剥離力が弱くなるようになされていれば良い。従って例えば、フック６１Ａ，６１Ｂの両方が図３に示す如きマッシュルーム型でも良い。また、本発明で利用可能なマッシュルーム型又は矢尻型のフック材は図３に示すものに制限されず、図３に示すものに準じた形状のフック材を用いることができる。ピン型のフック材についても同様である。
【００６３】
また、吸収性や防漏性等の向上の観点から、表面シート２と吸収体４との間に、各種不織布からなる液透過性シートが介在配置されていても良い。同様の観点から、吸収パッド１の肌対向面に、表面シート２及び吸収体４が一体的に圧密化されてなる溝が形成されていても良い。さらに、排尿液の横モレを防止や、吸収パッド１の横方向Ｙの長さ即ち幅をコンパクトにするために、裏面シート３が、表面シート２の縦方向Ｘに沿う側縁を覆うように、表面シート２側に巻き上げられて配置されても良い。また、防漏カフ５（防漏カフ形成用シート５０）は、表面シート２側に巻き上げられた裏面シート３（吸収体４の縦方向Ｘに沿う両側縁からの延出部）の肌対向面又は非肌対向面に接合されていても良く、あるいは、防漏カフ形成用シート５０の縦方向Ｘに沿う一端側が着用物品当接面１ｂに接合され、該シート５０の他端側が吸収パッド１の肌対向側に巻き上げられて配置されていても良い。
また、位置合わせの容易性の観点から、裏面シート３に、位置合わせのための目印が付されていても良い。例えば、吸収パッド１の裏面シート３における第１のフック材６Ａ及び第２のフック材６Ｂそれぞれの近傍に目印を付しておくと共に、吸収パッド１と併用される使い捨ておむつにも、吸収パッド１の固定位置を表す目印を付しておくことで、位置合わせが一層容易になる。この位置合わせのための目印には、吸収パッドの前後を表す目印なども含まれ、該目印としては、目視で視認可能であれば良く、図柄、文字、あるいはこれらの組み合わせを用いることができる。
また、本発明の吸収パッドは、各吸収パッドが２つ折りにされた状態で、複数枚が別体の包装パックに収納されていても良い。例えば、吸収性パッドの前方部の肌対抗向面と後方部の肌対抗向面とが重なるように縦方向に２つ折りされた状態で、別体の包装パックに収納することができる。
本発明の吸収パッドは、各種着用物品と共に着用可能であり、併用可能な着用物品としては、図７に示す如き使い捨ておむつ（パンツ型及び止着テープを有するいわゆる展開型の両方を含む）の他、軽失禁ショーツや軽失禁パンツ等の各種吸収性物品、さらには衣類のショーツや下着・肌着等が挙げられる。前述した本発明の実施形態に関し、更に以下の付記を開示する。
【００６４】
＜１＞
液保持性の吸収体を備え、着用者の前後方向に相当する縦方向とこれに直交する横方向とを有し、別体の着用物品の肌対向面上に取り外し可能に固定されて、該着用物品と共に着用される吸収パッドであって、
着用時に前記着用物品の肌対向面に当接される着用物品当接面に、前記吸収パッドを該着用物品に取り外し可能に固定する固定部材として、該着用物品に係合可能な第１のフック材及び第２のフック材が配されており、両フック材は、該着用物品当接面の縦方向中央部を挟んで縦方向一方側と他方側とに離間配置されており、
前記第２のフック材は、前記第１のフック材に比して剥離力が弱い吸収パッド。
【００６５】
＜２＞
前記第１のフック材及び前記第２のフック材は、それぞれ、支持体と、該支持体の表面に設けられた多数個のフックとを含んで構成され、該フックは、該支持体の表面から起立する基端部と、該基端部の先端から所定方向に向かって張り出した張り出し部とを有し、
前記第１のフック材と前記第２のフック材とは、前記フックのオーバーハング値又は形状が異なり、
前記オーバーハング値は、前記フックにおける前記張り出し部の所定方向の最大幅と前記基端部の該所定方向と同方向の最小幅（ステム幅）との差である前記＜１＞に記載の吸収パッド。
＜３＞
前記第１のフック材における前記フックの横方向のオーバーハング値Ｈｙに対する、前記第２のフック材における前記フックの横方向のオーバーハング値Ｈｙの比は、好ましくは０以上、さらに好ましくは０．０３以上、特に好ましくは、０．０５以上、そして、好ましくは０．７以下、さらに好ましくは０．６以下、特に好ましくは０．５以下である前記＜２＞に記載の吸収パッド。
＜４＞
前記第１のフック材及び前記第２のフック材それぞれにおける前記フックは、マッシュルーム型、矢尻型又はピン型である前記＜２＞又は＜３＞に記載の吸収パッド。
【００６６】
＜５＞
前記第１のフック材における前記フックはマッシュルーム型又は矢尻型であり、該フックにおける前記張り出し部の横方向のオーバーハング値Ｈｙは、好ましくは１００μｍ以上、さらに好ましくは１２０μｍ以上、そして、好ましくは３６０μｍ以下、さらに好ましくは３３０μｍ以下である前記＜４＞に記載の吸収パッド。
＜６＞
前記第１のフック材における前記フックはマッシュルーム型又は矢尻型であり、該フックにおける前記張り出し部の縦方向のオーバーハング値Ｈｘは、好ましくは４０μｍ以上、さらに好ましくは６０μｍ以上、そして、好ましくは２２０μｍ以下、さらに好ましくは２００μｍ以下である前記＜４＞又は＜５＞に記載の吸収パッド。
＜７＞
前記第１のフック材における前記フックはマッシュルーム型又は矢尻型であり、該フックの前記支持体からの高さは、好ましくは２００μｍ以上、さらに好ましくは２５０μｍ以上、そして、好ましくは５００μｍ以下、さらに好ましくは４５０μｍ以下である前記＜４＞〜＜６＞の何れか一項に記載の吸収パッド。
＜８＞
前記第１のフック材における前記フックはマッシュルーム型又は矢尻型であり、該フックの設置密度は、１平方インチ当たり、好ましくは１２００個以上、さらに好ましくは１４００個以上、そして、好ましくは２６００個以下、さらに好ましくは２４００個以下である前記＜４＞〜＜７＞の何れか一項に記載の吸収パッド。
【００６７】
＜９＞
前記第２のフック材における前記フックはピン型であり、該フックにおける前記張り出し部の横方向のオーバーハング値Ｈｙは、好ましくは５μｍ以上、さらに好ましくは１０μｍ以上、そして、好ましくは１２０μｍ以下、さらに好ましくは１００μｍ以下である前記＜４＞〜＜８＞の何れか一項に記載の吸収パッド。
＜１０＞
前記第２のフック材における前記フックはピン型であり、該フックにおける前記張り出し部の縦方向のオーバーハング値Ｈｘは、好ましくは０μｍ以上、さらに好ましくは４μｍ以上、そして、好ましくは１００μｍ以下、さらに好ましくは８０μｍ以下である前記＜４＞〜＜９＞の何れか一項に記載の吸収パッド。
＜１１＞
前記第２のフック材における前記フックはピン型であり、該フックの前記支持体からの高さは、好ましくは１２０μｍ以上、さらに好ましくは１８０μｍ以上、そして、好ましくは４５０μｍ以下、さらに好ましくは３６０μｍ以下である前記＜４＞〜＜１０＞の何れか一項に記載の吸収パッド。
＜１２＞
前記第２のフック材における前記フックはピン型であり、該フックの設置密度は、１平方インチ当たり、好ましくは６００個以上、さらに好ましくは８００個以上、そして、好ましくは２０００個以下、さらに好ましくは１８００個以下である前記＜４＞〜＜１１＞の何れか一項に記載の吸収パッド。
【００６８】
＜１３＞
前記第２のフック材の剥離力は、前記第１のフック材の剥離力に対して、好ましくは３％以上、さらに好ましくは５％以上、そして、好ましくは７０％以下、さらに好ましくは５０％以下、殊更好ましくは４０％以下である前記＜１＞〜＜１２＞の何れか一項に記載の吸収パッド。
＜１４＞
前記第１のフック材の剥離力は、好ましくは５０ｃＮ／５０ｍｍ以上、さらに好ましくは６０ｃＮ／５０ｍｍ以上、そして、好ましくは１５０ｃＮ／５０ｍｍ以下、さらに好ましくは１２０ｃＮ／５０ｍｍ以下である前記＜１＞〜＜１３＞の何れか一項に記載の吸収パッド。
＜１５＞
前記第２のフック材の剥離力は、好ましくは１．５ｃＮ／５０ｍｍ以上、さらに好ましくは２．５ｃＮ／５０ｍｍ以上、そして、好ましくは９０ｃＮ／５０ｍｍ以下、さらに好ましくは７５ｃＮ／５０ｍｍ以下、殊更好ましくは６０ｃＮ／５０ｍｍ以下である前記＜１＞〜＜１４＞の何れか一項に記載の吸収パッド。
＜１６＞
前記第２のフック材は、前記第１のフック材に比して面積が小さい前記＜１＞〜＜１５＞の何れか一項に記載の吸収パッド。
＜１７＞
前記第２のフック材の面積は、前記第１のフック材６Ａの面積に対して、好ましくは３０％以上、さらに好ましくは４０％以上、そして、好ましくは８０％以下、さらに好ましくは７０％以下である前記＜１６＞に記載の吸収パッド。
【００６９】
＜１８＞
前記第１のフック材及び前記第２のフック材よりも縦方向内方に、弾性体が縦方向に伸長状態で配置されている前記＜１＞〜＜１７＞の何れか一項に記載の吸収パッド。
＜１９＞
前記弾性体は、前記第１のフック材及び前記第２のフック材の少なくとも一方と横方向において重複し、且つ該弾性体の横方向長さは、該第１のフック材又は該第２のフック材の横方向における長さに対して、好ましくは５０％以上、さらに好ましくは７０％以上、そして、好ましくは１２０％以下、さらに好ましくは１００％以下である前記＜１８＞に記載の吸収パッド。
＜２０＞
前記弾性体の縦方向の長さは、好ましくは３０ｍｍ以上、さらに好ましくは４０ｍｍ以上、そして、好ましくは１２０ｍｍ以下、さらに好ましくは１００ｍｍ以下である前記＜１８＞又は＜１９＞に記載の吸収パッド。
＜２１＞
前記弾性体の横方向の長さは、好ましくは３０ｍｍ以上、さらに好ましくは４０ｍｍ以上、そして、好ましくは１５０ｍｍ以下、さらに好ましくは１２０ｍｍ以下である前記＜１８＞〜＜２０＞の何れか一項に記載の吸収パッド。
＜２２＞
前記弾性体の全体が、前記第１のフック材及び前記第２のフック材の両方と横方向において重複している前記＜１８＞〜＜２１＞の何れか一項に記載の吸収パッド。
【００７０】
＜２３＞
前記吸収体の非肌対向面側に、前記着用物品当接面を形成する裏面シートが配され、該裏面シートと該吸収体との間に、前記弾性体が介在配置されている前記＜１８＞〜＜２２＞の何れか一項に記載の吸収パッド。
＜２４＞
前記弾性体は、前記第２のフック材の近傍に位置しているか、又は平面視において前記第２のフック材と重なっている前記＜１８＞〜＜２３＞の何れか一項に記載の吸収パッド。
＜２５＞
前記吸収体は吸収性コアを有し、該吸収性コアに該吸収性コアを厚み方向に貫通する横長の開口部が形成されており、平面視において該開口部と前記弾性体とが重なっている前記＜１８＞〜＜２４＞の何れか一項に記載の吸収パッド。
＜２６＞
前記開口部は前記弾性体に比して横方向長さが長い前記＜２５＞に記載の吸収パッド。
【００７１】
＜２７＞
前記第１のフック材及び前記第２のフック材は、それぞれ、平面視において前記吸収体と重なっている前記＜１＞〜＜２６＞の何れか一項に記載の吸収パッド。
＜２８＞
前記第１のフック材と前記第２のフック材との離間距離は、前記吸収パッドの縦方向の全長に対して、好ましくは５０％以上、さらに好ましくは６０％以上、そして、好ましくは８５％以下、さらに好ましくは８０％以下である前記＜１＞〜＜２７＞の何れか一項に記載の吸収パッド。
＜２９＞
前記第１のフック材と前記第２のフック材との離間距離は、好ましくは２００ｍｍ以上、さらに好ましくは２４０ｍｍ以上、そして、好ましくは５４０ｍｍ以下、さらに好ましくは５００ｍｍ以下である前記＜１＞〜＜２８＞の何れか一項に記載の吸収パッド。
＜３０＞
前記第１のフック材のせん断力は、好ましくは１２００ｃＮ／５０ｍｍ以上、さらに好ましくは１５００ｃＮ／５０ｍｍ以上、そして、好ましくは３０００ｃＮ／５０ｍｍ以下、さらに好ましくは２７００ｃＮ／５０ｍｍ以下である前記＜１＞〜＜２９＞の何れか一項に記載の吸収パッド。
＜３１＞
前記第２のフック材のせん断力は、好ましくは９００ｃＮ／５０ｍｍ以上、さらに好ましくは１２００ｃＮ／５０ｍｍ以上、そして、好ましくは３０００ｃＮ／５０ｍｍ以下、さらに好ましくは２７００ｃＮ／５０ｍｍ以下である前記＜１＞〜＜３０＞の何れか一項に記載の吸収パッド。
【００７２】
＜３２＞
前記吸収体の非肌対向面側に、前記着用物品当接面を形成する裏面シートが配され、該裏面シートは、該吸収体の縦方向に沿う両側縁から延出し、それら両延出部が、該吸収体の肌対向面側に巻き上げられており、その巻き上げられた両延出部の肌対向面又は非肌対向面に、防漏カフ形成用シートが接合されている前記＜１＞〜＜３１＞の何れか一項に記載の吸収パッド。
＜３３＞
前記吸収体の非肌対向面側に、前記着用物品当接面を形成する裏面シートが配され、該裏面シートは、該吸収体の縦方向に沿う両側縁から延出し、それら両延出部が、該吸収体の肌対向面側に巻き上げられており、
前記吸収パッドの肌対向面側における縦方向に沿う左右両側に、防漏カフ形成用シートを含んで構成される一対の防漏カフが配されており、該防漏カフ形成用シートは、その縦方向に沿う一端側が前記着用物品当接面に接合され、他端側が該吸収パッドの肌対向面側に巻き上げられている前記＜１＞〜＜３１＞の何れか一項に記載の吸収パッド。
＜３４＞
前記吸収パッドは、着用時に着用者の股間部に配される股下部と、該股下部よりも着用者の腹側に配される前方部と、該股下部よりも着用者の背側に配される後方部とを縦方向に有し、該前方部の肌対向面と該後方部の肌対向面とが重なるように縦方向に２つ折りされた状態で、別体の包装パックに収納されている前記＜３２＞又は＜３３＞に記載の吸収パッド。
＜３５＞
前記吸収体の非肌対向面側に、前記着用物品当接面を形成する裏面シートが配され、該裏面シートに、前記吸収パッドを別体の着用物品に固定する際の位置合わせに利用可能な目印が、目視で視認可能に付されている前記＜１＞〜＜３４＞の何れか一項に記載の吸収パッド。
【符号の説明】
【００７３】
１  吸収パッド
１ｆ  吸収パッドの肌対向面
１ｂ  吸収パッドの着用物品当接面（非肌対向面）
２  表面シート
３  裏面シート
４  吸収体
４０  吸収性コア
４１  コアラップシート
４５  開口部
５  防漏カフ
５０  防漏カフ形成用シート
５１  防漏カフ形成用弾性部材（弾性体）
６Ａ  第１のフック材
６Ｂ  第２のフック材
６０  支持体
６１Ａ，６１Ｂ  フック
６１ｓ  フックの基端部
６１ｔ  フックの張り出し部
７  弾性シート（弾性体）
１００  使い捨ておむつ（着用物品）
１Ｆ  前方部
１Ｍ  股下部
１Ｒ  後方部
Ｘ  縦方向
Ｙ  横方向
【図１】
0006499473.tif 000002
【図２】
0006499473.tif 000003
【図３】
0006499473.tif 000004
【図４】
0006499473.tif 000005
【図５】
0006499473.tif 000006
【図６】
0006499473.tif 000007
【図７】
0006499473.tif 000008
【図８】
0006499473.tif 000009
【図９】
0006499473.tif 000010